(57)【要約】【課題】  本発明は、綺麗なつまみ細工を効率的に製造することができるつまみ細工の製造方法と、該製造方法に使用するクリップ具の提供を課題とする。【解決手段】 つまみ細工に使用する所定の布類Ｎを準備する工程と、布類Ｎを複数回折り畳む工程と、折り曲がった該布類Ｎの切口端部Ｎ１をクリップ具１で挟んで固定する工程と、布類Ｎの切口端部Ｎ１に接着剤を塗布して接着させる工程と、布類Ｎの切口端部Ｎ１に塗布した接着剤を乾燥する工程と、布類Ｎの切口端部Ｎ１からクリップ具１を取り外す工程と、布類Ｎをつまみ細工として形を整える工程とを有する。【選択図】      図１
2009201732.tif 000002
【特許請求の範囲】
【請求項１】
つまみ細工に使用する所定の布類を準備する工程と、
該布類を複数回折り畳む工程と、
折り曲がった該布類の切口端部をクリップ具で挟んで固定する工程と、
該布類の切口端部に接着剤を塗布して接着させる工程と、
該布類の切口端部に塗布した接着剤を乾燥する工程と、
該布類の切口端部からクリップ具を取り外す工程と、
該布類をつまみ細工として形を整える工程とを有することを特徴とするつまみ細工の製造方法。
【請求項２】
請求項１に記載のつまみ細工の製造方法に使用されるクリップ具であって、
外側に凸状に形成された左右一対の挟持爪部と、
該挟持爪部に連接する対応で設けられた左右一対の把持部と、
左右一対の挟持爪部および把持部を互いに連結するための回転軸と、
該回転軸において挟持爪部を閉じる方向に付勢するバネ部材とを有することを特徴とするクリップ具。
【請求項３】
透明または半透明の部材からなり、前記挟持爪部の表面または裏面に布類の位置合わせのための一本または複数本のラインが付されている請求項２に記載のクリップ具。
【請求項４】
前記ラインは少なくとも隣り合うもの同士が異なる色に構成されている請求項３に記載のクリップ具。
【請求項５】
前記挟持爪部の先端部に弾性部材が設けられている請求項２ないし請求項４に記載のクリップ具。
【発明の詳細な説明】
【技術分野】
【０００１】
本発明は、つまみ細工の製造方法および該製造方法に使用するクリップ具に関するものである。
【背景技術】
【０００２】
従来、かんざし、髪飾り、リボン飾り、ヘアピン飾り、アクセサリ、その他の小物を装飾するものとしてつまみ細工が知られている。このつまみ細工とは、江戸時代から日本古来の伝統的手芸であり、布類を折りたたみ奥行きのある立体的な造形美術に仕上げる技法である。
【０００３】
具体的には、概ね下記の工程（１）〜（６）に沿ってつまみ細工が製造される（特許文献１〜３参照）。
【０００４】
（１）所定の布類を準備する。
（２）布類を複数回折る。
（３）折った布類の切口端部に接着剤を浸透させる。
（４）接着剤をできる限り乾燥させる。
（５）頭を指で押して花弁の形を整える。
（６）台紙等に貼り付けて飾りを完成する。
【０００５】
【特許文献１】ちりめんのつまみ細工（日本ヴォーグ社）６頁〜７頁
【特許文献２】おしゃれ工房（日本放送出版協会）１４０頁〜１４１頁
【特許文献３】つまみ画（マコー社）３６頁〜３７頁
【発明の開示】
【発明が解決しようとする課題】
【０００６】
しかしながら、従来のつまみ細工の製造方法では、上記工程（４）における接着剤を乾燥させるとき、布類が元の状態に戻ろうとして切口端部が開いてしまうものであった。
【０００７】
そこで、ピンセットや指により人手でつまんだ状態で乾燥させればよいが、乾燥するまでの間は継続してつまみ続けなければならない。これは非常に面倒である上に、その間は他の作業を進めることができず非効率的であった。
【０００８】
このため、実際の製造工程では、接着剤が半乾きの状態で台紙に貼り付ける場合が多かった。ところが、これではつまみ細工の形を整えたり、台紙に貼り付けたりと加工するときに手に接着剤が付いてべたついた状態となる。また、接着剤が半乾きの状態であるゆえに加工の途中でつまみ細工の切口端部が開いてしまうこともあった。このためつまみ細工を加工しにくくなり、特に一般人にとっては仕上がりを綺麗にするのが非常に難しかった。
【０００９】
本発明は、このような問題に鑑みてなされたものであって、仕上がりが綺麗なつまみ細工を効率的に製造することができるつまみ細工の製造方法と、該製造方法に使用するクリップ具の提供を課題とする。
【課題を解決するための手段】
【００１０】
本発明に係る製造方法は、上記課題を解決するために、つまみ細工に使用する所定の布類を準備する工程と、該布類を複数回折り畳む工程と、折り曲がった該布類の切口端部をクリップ具で挟んで固定する工程と、該布類の切口端部に接着剤を塗布して接着させる工程と、該布類の切口端部に塗布した接着剤を乾燥する工程と、該布類の切口端部からクリップ具を取り外す工程と、該布類をつまみ細工として形を整える工程とを有することを特徴とする。
【００１１】
これによれば、布類の切口端部をクリップ具で挟んで固定するため、接着剤を塗布した切口端部が空気に触れることになり、人手なしに接着剤を早期かつ完全に乾燥させることができる。
【００１２】
また、本発明に係るクリップ具は、請求項１に記載のつまみ細工の製造方法に使用されるクリップ具であって、外側に凸状に形成された左右一対の挟持爪部と、該挟持爪部に連接する対応で設けられた左右一対の把持部と、左右一対の挟持爪部および把持部を互いに連結するための回転軸と、該回転軸において挟持爪部を閉じる方向に付勢するバネ部材とを有することを特徴とする。
【００１３】
これによれば上述のつまみ細工の製造方法をより簡単かつ確実に実行することができる。特に挟持爪部が外側に凸状に形成されているため、布類を挟んでいるときでも布類の本体を押さえつけることがなく、形の整ったつまみ細工を製造し易くなる。
【００１４】
また、透明または半透明の部材からなり、前記挟持爪部の表面または裏面に布類の位置合わせのための一本または複数本のラインが付されているのが好ましい。
【００１５】
これによれば、クリップ具で布類を挟む際、布類の位置を簡単に合わせることできる。例えば、ある形状のつまみ細工を複数製造する場合、各布類を同一のラインに合わせていけば、同一の形状のつまみ細工を簡単に製造することができ非常に便利である。
【００１６】
また、前記ラインは少なくとも隣り合うもの同士が異なる色に構成されているのが好ましい。
【００１７】
これによれば、布類をどのラインに合わせて挟持するのかを色で判断することができ、同一の形状のつまみ細工をより一層簡単に製造することができる。
【００１８】
また、前記挟持爪部の先端部に弾性部材が設けられているのが好ましい。
【００１９】
これによれば、挟んだ布類のズレを防止することができる。
【発明の効果】
【００２０】
本発明によれば、布類の切口端部をクリップ具で挟んで固定するため、接着剤を塗布した切口端部が空気に触れることになり、人手なしに接着剤を早期かつ完全に乾燥させることができる。
【００２１】
このため、布類の切口端部を挟み続ける必要がなくなり労力が軽減される上に、その間は他の作業を進めることができる。
【００２２】
また、接着剤が完全に乾燥するため、つまみ細工の形を整えたり、台紙に貼り付けたりと加工が容易となり、一般人にとっても簡単に仕上がりを綺麗することができる。
【００２３】
また、つまみ細工の切口端部をカットする場合、クリップ具により切口端部が挟んで固定されているため、従来のようにピンセットや指などの人手で押さえている場合と違って、安全にカットすることができるとともに、カット時の布類のずれも防止することができる。
【００２４】
而して、仕上がりが綺麗なつまみ細工を効率的に製造することができるため、一般人がつまみ細工を製造し易くなるほか、カルチャースクールや書籍などにおいてもつまみ細工を教えやすくなり、伝統工芸としてのつまみ細工をさらに普及することに寄与する。
【発明を実施するための最良の形態】
【００２５】
次に本発明の一実施形態に係るつまみ細工の製造方法について説明する。
【００２６】
図１は本製造方法に使用するクリップ具（１）の正面図、図２はクリップ具（１）の側面図、図３はクリップ具（１）を机等に載置した状態を示す図である。
【００２７】
このクリップ具（１）は、図１〜図３に示すように、左右一対の挟持爪部（２）（２）と、該挟持爪部（２）（２）に連接する対応で設けられた左右一対の把持部（３）（３）と、左右一対の挟持爪部（２）（２）および把持部（３）（３）を互いに連結するための回転軸（４）と、該回転軸（４）において挟持爪部（２）（２）を閉じる方向に付勢するバネ部材（５）とを備えてなる。
【００２８】
前記挟持爪部（２）は、図１に示すように、正面から見て略貝状に形成されている。そして、図２に示すように、外側に凸状に形成されることによって、内部の幅ｗおよび高さｈが折り曲げた布類（Ｎ）よりも大きな空間を確保している。このような形状とすることによって、後述するように布類（Ｎ）を挟持しているときでも布類（Ｎ）の本体を押さえつけることがなく、綺麗なつまみ細工を製造し易くなる。
【００２９】
また、前記挟持爪部（２）は、透明または半透明の部材からなり、挟持爪部（２）の表面または裏面に布類（Ｎ）の位置合わせのための複数本のライン（６）が一点を中心として所定の角度（本実施形態では５度）ずつ付されている。
【００３０】
これによって、クリップ具（１）で布類を挟む際、布類（Ｎ）の位置を簡単に合わせることできる。例えば、ある形状のつまみ細工を複数製造する場合、各布類（Ｎ）を同一のラインに合わせていけば、同一の形状のつまみ細工を簡単に製造することができ非常に便利である。特にライン（６）は少なくとも隣り合うもの同士が異なる色に構成されているのが好ましい。
【００３１】
なお、これらのライン（６）は複数本に限定されるものではなく一本であってもよい。また、一点を中心として５度の角度ずつ付されるものとしたが、その他の位置や構成で付されるものであってもよい。要は、布類（Ｎ）を挟んで固定した際に位置を合わせることができればよい。
【００３２】
また、前記挟持爪部（２）は、先端部に弾性部材（７）が設けられている。これにより挟んだ布類（Ｎ）のズレを防止することができる。
【００３３】
前記把持部（３）は、図１および２に示すように、挟持爪部（２）に対して所定の角度を付けて外側に伸びる態様で挟持爪部（２）の下端部に連接されている。  
【００３４】
このように左右一対の挟持爪部（２）と把持部（３）を連接する形状とすることによって、図３に示すように挟持爪部（２）と把持部（３）が机面等に接地するように横向きに載置することができ、布類（Ｎ）の切口端部（Ｎ１）を上方に向けた状態で接着剤を空気に触れさせながら乾燥させることができる。
【００３５】
また、挟持爪部（２）の表面には、複数の突条（８）が並行に設けられている。これにより人が把持部（３）を摘んだ際にバネ部材（５）の反発力により手元が滑ることを防止できる。
【００３６】
前記回転軸（４）は、左右一対の挟持爪部（２）（２）と把持部（３）（３）の連接部分にそれぞれ２個の軸孔部材（２１）（２１）が設けられ、それら軸孔部材（２１）…（２１）を架橋する態様で挿通されている。これにより把持部（３）（３）を近接方向に摘むと、挟持爪部（２）（２）が離間方向に開くようになっている（図２の一点鎖線）。一方、把持部（３）（３）を離間方向に戻すと、挟持爪部（２）（２）が近接方向に閉じるようになっている（図２の実線）。
【００３７】
前記バネ部材（５）は、前記回転軸（４）に巻き付くようにして設けられるとともに、一方の端部を一方の把持部（３）に係止し、かつ他方の端部を他方の把持部（３）に係止するようにして設けられている。これによりバネ部材（５）が前記回転軸（４）において挟持爪部（２）（２）を閉じる方向に付勢することができる。
【００３８】
而して、クリップ具（１）は、不使用時においては、バネ部材（５）のバネ力の作用により挟持爪部（２）が閉じた状態となっている（図２の実線）。
【００３９】
クリップ具（１）の使用に際しては、把持部（３）（３）をバネ力に抗して近接方向に摘めば、それに従って挟持爪部（２）（２）が開いた状態となる（図２の一点鎖線）。
【００４０】
そして、折り曲げた布類（Ｎ）を挟持爪部（２）内に入れていき、所定の位置のところで把持部（３）（３）の摘む力を弱めていけば、バネ力の作用により挟持爪部（２）が閉じていき、図１および図２に示すように、布類（Ｎ）の切口端部（Ｎ１）を挟んで固定することができる。
【００４１】
なお、布類（Ｎ）の切口端部（Ｎ１）とは、折り畳む前の布類（Ｎ）の周縁部（本実施形態では４辺）が折り畳んでいくことにより集積して重なった部分をいう。折り畳む前の布類（Ｎ）の周縁部は、通常、さらに大きな布類から所定の大きさのものに切り出した部分であることから、当該部分を切口や切口端部などと称される。
【００４２】
次につまみ細工の製造方法について説明する。
【００４３】
図４（ａ）〜（ｆ）は、つまみ細工の製造方法の工程を示す図である。
【００４４】
（ａ）つまみ細工に使用する所定の布類（Ｎ）を準備する。この布類（Ｎ）は、所望するつまみ細工によって材質、大きさ、色がそれぞれ選択される。
【００４５】
（ｂ）上記（ａ）で準備した布類（Ｎ）を対角線に沿って折り畳む。このとき布類（Ｎ）は、折り曲げた部分を底辺とした２つの三角形を構成している。
【００４６】
（ｃ）上記（ｂ）で折り曲げた布類（Ｎ）を上記（ｂ）の一点鎖線に沿ってさらに２枚まとめて折り畳む。このとき布類（Ｎ）は、折り曲げた部分を底辺とした２つの２重三角形を構成している。
【００４７】
（ｄ）上記（ｃ）で折り曲げた布類（Ｎ）を上記（ｃ）の一点鎖線に沿ってさらにそれぞれ外側に折り畳む。このとき布類（Ｎ）は、切口端部（Ｎ１）を有するつまみ細工の原型を構成している。
【００４８】
（ｅ）上記（ｄ）のつまみ細工の原型となる布類（Ｎ）の切口端部（Ｎ１）を上記クリップ具（１）により挟んで固定する。このとき布類（Ｎ）は、本体部が挟持爪部（２）の内部に収容され、切口端部（Ｎ１）のみが外側に突出した状態となっている。
【００４９】
なお、この切口端部（Ｎ１）がきれいに揃っていない場合には、必要に応じて切口端部（Ｎ１）を並行にカットしてもよい。このときクリップ具（１）により切口端部（Ｎ１）が挟んで固定されているため、従来のようにピンセットや指などの人手で押さえている場合と違って、安全にカットすることができるとともに、カット時の布類のずれも防止することができる。
【００５０】
（ｆ）上記（ｅ）でクリップ具（１）で挟んで固定した該布類（Ｎ）の切口端部（Ｎ１）に接着剤を塗布して接着させる。接着剤の塗布については、布類（Ｎ）の切口端部（Ｎ１）に接着剤を直接塗布してもよいし、何らかの板部材上に広げた接着剤に対して布類（Ｎ）の切口端部（Ｎ１）を接触させて接着剤と塗布してもよい。なお、接着剤の成分は特に限定されるものではなく、布類（Ｎ）の切口端部（Ｎ１）を接着するものであれば、狭義の接着剤のほか、糊剤などどのようなものであってもよい。
【００５１】
（ｇ）上記（ｆ）で該布類（Ｎ）の切口端部（Ｎ１）に塗布した接着剤を乾燥する。この接着剤の乾燥に際しては、上記クリップ具（１）を使用した場合、図３に示すようにクリップ具（１）を机等に横向きに載置しておくだけでよい。
【００５２】
（ｈ）上記（ｆ）で乾燥させた布類（Ｎ）の切口端部（Ｎ１）からクリップ具（１）を取り外したあと、布類（Ｎ）の頭を指で押さえるなどして布類（Ｎ）をつまみ細工として形を整える。
【００５３】
あとは、上記（ａ）〜（ｆ）で製造した複数のつまみ細工を台紙に円形に並べて固定するなどして、図５に示すような飾り（本実施形態ではヘアピン飾り（１０））を完成する。
【００５４】
なお、本実施形態では、クリップ具として図１〜図３に示すものを使用したが、これに限定されるものではなく、布類（Ｎ）を人手なしに挟んで固定するものであればどのような構造であってもよい。
【図面の簡単な説明】
【００５５】
【図１】本製造方法に使用するクリップ具の正面図である。
【図２】クリップ具の側面図である。
【図３】クリップ具を机等に載置した状態を示す図である。
【図４】つまみ細工の製造方法の工程を示す図である。
【図５】ヘアピン飾りの斜視図である。
【符号の説明】
【００５６】
１・・・クリップ具
２・・・挟持爪部
３・・・把持部
４・・・回転軸
５・・・バネ部材
６・・・ライン
７・・・弾性部材
８・・・突条
１０・・・ヘアピン飾り
【図１】
2009201732.tif 000003
【図２】
2009201732.tif 000004
【図３】
2009201732.tif 000005
【図４】
2009201732.tif 000006
【図５】
2009201732.tif 000007